(57)【要約】      （修正有）【課題】屋根材と野地板との間に空間が形成される屋根を有した建築物に設置される装置であり、屋根に降り積もった雪を、より確実に除去することができる融雪装置を提供する。【解決手段】融雪装置２０は、気体の温度を上昇させる熱源２１と、熱源２１にて温度が上昇した高温気体Ａｈの流路を形成する流動管３０と、流動管３０に接続され、高温気体Ａｈが流入することで屋根４に降り積もった雪を溶かして除去する融雪部５０とを備えている。融雪部５０とは、屋根材６と野地板８との間の空間５２であり、流動管３０の吐出口４０から吐出された高温気体Ａｈが、該空間５２を流動する。【選択図】図１
0003169803.tif 000002
【実用新案登録請求の範囲】
【請求項１】
屋根材と野地板との間に空間が形成される屋根を有した建築物に設置される融雪装置であって、
気体の温度を上昇させる熱源と、
全体として管状に形成された流動管であって、前記熱源によって温度が上昇した気体である高温気体が、一端に設けられた開口である取込口から取り込まれて流動する流路を形成する流動管と
を備え、
前記流動管は、
前記流動管の取込口とは反対側の端部に設けられた開口である吐出口が、前記屋根材と前記野地板との間の空間に前記高温気体を吐出するように設けられていることを特徴とする融雪装置。
【請求項２】
前記流動管は、
１つの取込口に対し、複数の吐出口が形成されるように枝分かれした形状に形成されていることを特徴とする請求項１に記載の融雪装置。
【請求項３】
前記吐出口は、
前記野地板に穿設された挿通孔それぞれに前記流動管の端部が挿通されることで、前記屋根材と前記野地板との間の空間に前記高温気体を吐出することを特徴とする請求項１または請求項２に記載の融雪装置。
【請求項４】
前記挿通孔には、
防水処理が施されていることを特徴とする請求項３に記載の融雪装置。
【請求項５】
前記防水処理は、
樹脂材料によるパテ埋めであることを特徴とする請求項４に記載の融雪装置。
【請求項６】
前記屋根材は、瓦であり、
前記屋根には、複数の桟木が設けられており、
前記挿通孔は、それぞれ
隣接する二つの桟木の間に設けられていることを特徴とする請求項３〜５のいずれか一項に記載の融雪装置。
【請求項７】
前記流動管には、
気体を送出する送風機が設けられていることを特徴とする請求項１〜請求項６のいずれか一項に記載の融雪装置。
【請求項８】
屋根を有した建築物に設置される融雪装置であって、
気体の温度を上昇させる熱源と、
全体として管状に形成された流動管であって、前記熱源によって温度が上昇した気体である高温気体が、一端に設けられた開口である取込口から取り込まれて流動する流路を形成する流動管と、
前記流動管の取込口が設けられた端とは反対側の端に接続され、前記屋根に接して前記高温気体が流動する内部空間を有する融雪部と
を備えることを特徴とする融雪装置。
【請求項９】
前記融雪部は、
前記屋根の下面に固定されていることを特徴とする請求項８に記載の融雪装置。
【請求項１０】
前記融雪部は、
前記屋根の外面の少なくとも一部分を覆うように設けられていることを特徴とする請求項８に記載の融雪装置。
【請求項１１】
前記融雪部は、
前記屋根の垂木に沿って、前記屋根の棟から多くとも半分までの範囲を覆うように設けられていることを特徴とする請求項８〜請求項１０のいずれか一項に記載の融雪装置。
【請求項１２】
前記屋根材は、トタンであり、
前記融雪部は、
前記屋根材を少なくとも１つの面とした多面体に形成されていることを特徴とする請求項８〜請求項１１のいずれか一項に記載の融雪装置。
【請求項１３】
前記屋根は、トタン屋根の上にトタンを屋根材とした二重屋根であり、
前記融雪部は、
前記屋根材としての二つのトタンの間に形成された空間が、前記内部空間となるように形成されていることを特徴とする請求項８に記載の融雪装置。
【請求項１４】
前記熱源は、
前記建築物内に設置される暖房機器であることを特徴とする請求項１〜請求項１３のいずれか一項に記載の融雪装置。
【考案の詳細な説明】
【技術分野】
【０００１】
本考案は、融雪装置に関する。
【背景技術】
【０００２】
従来、豪雪地帯では積雪による家屋（建築物）の倒壊を防止するために、当該家屋の屋根に降り積もった雪を除去すること、即ち、雪おろしがなされる。この雪おろしは、家屋の屋根に上った人が、シャベルなどの道具を用いて自身の力によって行うことが一般的であり、滑落などの危険が伴う。
【０００３】
そこで、家屋の屋根に人が上ることなく、屋根に降り積もった雪を安全に除去することを可能とする装置が提案されている（例えば、特許文献１参照）。
ここで、図１５は、特許文献１に記載された装置（以下、従来除雪装置と称す）の構成を示す図である。
【０００４】
この図１５に示すように、従来除雪装置１５０は、除雪部１５５と、該除雪部１５５を駆動する駆動部１６０とを備えている。
除雪部１５５は、回転軸１５６と、該回転軸１５６の径方向に突出した複数の羽１５７とを有し、回転軸１５６と羽１５７とが一体に形成された羽根車である。なお、複数の羽１５７は、１つの回転軸１５６に対して複数組設けられている。
【０００５】
また、駆動部１６０は、屋根Ｒｏの上面の両側において、屋根Ｒｏの棟Ｒｒから軒Ｒｅまでを少なくとも含むように掛け渡されたチェーン１６１からなり、除雪部１５５の回転軸１５６に設けられたギア１５８を介して、回転軸１５６を回動自在かつ可動自在に支えている。さらに、駆動部１６０には、除雪部１５５を地上にて操作可能とするための操作機構１６５が連接されている。
【０００６】
つまり、従来除雪装置１５０では、操作機構１６５が操作されると、チェーン１６１が駆動して除雪部１５５の回転軸１５６を回転かつ移動させる。すると、回転軸１５６に従って回転を伴って移動する除雪部１５５の羽が、屋根Ｒｏの上面に積もった雪を崩して屋根の下に落とす。
【先行技術文献】
【特許文献】
【０００７】
【特許文献１】実用新案登録第３０９３９０２号公報
【考案の概要】
【考案が解決しようとする課題】
【０００８】
ところで、湿雪が降り積もって屋根Ｒｏに固着すると、除雪部１５５の羽１５７が回転を伴って移動するだけでは、その固着した雪を取り除くことは困難となる。特に、日本に降る雪の大部分が湿雪であることを考慮すると、従来除雪装置１５０では、屋根Ｒｏに降り積もった雪を除雪することが困難であるという問題があった。
【０００９】
そこで、本考案は、屋根に降り積もった雪を、より確実に除去することを目的とする。
【課題を解決するための手段】
【００１０】
上記目的を達成するためになされた第一考案は、屋根材と野地板との間に空間が形成される屋根を有した建築物に設置される融雪装置に関する。
その融雪装置は、気体の温度を上昇させる熱源と、全体として管状に形成された流動管とを備えている。ただし、第一考案における流動管は、熱源によって温度が上昇した気体（以下、高温気体とする）が、一端に設けられた開口である取込口から取り込まれて流動する流路を形成するものであり、取込口とは反対側の端部に設けられた開口である吐出口が、屋根材と野地板との間の空間に高温気体を吐出するように設けられている。
【００１１】
つまり、第一考案の融雪装置によれば、熱源にて温められた気体、即ち、高温気体が屋根材と野地板との間の空間に吐出される。この高温気体によって、屋根材の温度が上昇し、雪を溶かすことができる。
【００１２】
したがって、第一考案の融雪装置によれば、例えば、従来除雪装置１５０に比べて、屋根に降り積もった雪をより確実に除去することができる。
ところで、従来除雪装置１５０は、雪が降らない夏場などを含めて常時設置されている。このため、従来除雪装置１５０が設置された建築物は、外観の美しさを損なう、即ち、見栄えが悪いという問題もあった。
【００１３】
しかしながら、第一考案の融雪装置であれば、当該融雪装置を構成する部材が屋根の上面に設けられることが無いため、当該融雪装置が設置された建築物の見栄えの良さを維持できる。
【００１４】
さらに、第一考案において、流動管は、１つの取込口に対し、複数の吐出口が形成されるように枝分かれした形状に形成されていても良い（請求項２）。
このような融雪装置によれば、屋根における１つの部分ではなく、屋根におけるより多くの部分に対して、高温気体を吐出することができる。
【００１５】
よって、第一考案の融雪装置によれば、効率良く融雪することができる。
そして、第一考案において、流動管の吐出口は、野地板に穿設された挿通孔それぞれに流動管の端部が挿通されることで、屋根材と野地板との間の空間に高温気体を吐出しても良い（請求項３）。
【００１６】
つまり、第一考案の融雪装置は、野地板に穿設された挿通孔に流動管の端部を挿通することで、建築物に設置可能となる。換言すれば、建築中の建築物に限らず、建築済みの建築物であっても、容易に融雪装置を設置することができる。
【００１７】
また、第一考案において、挿通孔には、防水処理が施されていても良い（請求項４）。
このように、挿通孔に対して防水処理が施されていれば、建築物の内部に水が入り込むことを防止できる。
【００１８】
この防水処理として、樹脂材料によるパテ埋めが行われていても良い（請求項５）。
このような防水処理であれば、当該防水処理を簡易に実施することができる。
ここで言う樹脂材料には、例えば、シリコン樹脂や、ウレタン樹脂などを含むものである。
【００１９】
ところで、屋根材として瓦を用いる（即ち、瓦葺きとする）場合、その瓦は、建築物の屋根に設けられた桟木に瓦の裏面に形成された突起を引っ掛けることで、屋根に設置（固定）される。このとき、桟木と桟木との間には、瓦と野地板との間に空間（即ち、２つの桟木と瓦と野地板とに囲まれた空間）が形成されるため、第一考案における各挿通孔は、それぞれ、隣接する二つの桟木の間に設けることが好ましい（請求項６）。
【００２０】
このように各挿通孔を設ければ、建築物の屋根に対する加工を必要最小限とすることができる。
ただし、第一考案の融雪装置が設置される建築物の屋根は、瓦葺きの屋根に限るものではなく、トタン張りの屋根であっても良い。
【００２１】
なお、第一考案においては、流動管に、気体を送出する送風機が設けられていても良い（請求項７）。
このような融雪装置であれば、屋根材と野地板との間の空間に、高温気体をより確実に送風することができる。
【００２２】
上記目的を達成するためになされた第二考案は、屋根を有した建築物に設置される融雪装置であっても良い。
この第二考案の融雪装置は、熱源と、流動管と、融雪部とを備える（請求項８）。
【００２３】
このうち、熱源は、気体の温度を上昇させる。流動管は、全体として管状に形成されており、熱源によって温度が上昇した気体である高温気体が、一端に設けられた開口である取込口から取り込まれて流動する流路を形成する。そして、融雪部は、流動管の取込口が設けられた端とは反対側の端に接続され、屋根に接して高温気体が流動する内部空間を有する。
【００２４】
このような融雪装置であれば、熱源にて温められた気体、即ち、高温気体が屋根に接して流動する。この高温気体によって、屋根の温度が上昇し、雪を溶かすことができる。
したがって、第二考案の融雪装置によれば、例えば、従来除雪装置１５０に比べて、屋根に降り積もった雪を、より確実に除去することができる。
【００２５】
そして、第二考案において、融雪部は、屋根の下面に固定されていても良い（請求項９）。なお、ここで言う屋根の下面とは、屋根において、建築物の内部に近い側の面であり、例えば、屋根の野地板において、建築物の内部の側となる（即ち、屋内と接する）面である。
【００２６】
この場合、建築済みの建築物に対して、融雪装置を容易に設置することができる。
さらに、第二考案において、融雪部は、屋根の外面の少なくとも一部分を覆うように設けられていても良い（請求項１０）。ここで言う外面とは、屋根において、建築物の外部（即ち、屋外）と接する面である。
【００２７】
このような融雪装置であれば、屋根において雪に触れる部位の温度が、融雪部を屋根の下面に固定した場合に比べて高くなる。したがって、このような融雪装置を建築物に設置すれば、屋根に降り積もった雪を、より確実に溶かすことができる。
【００２８】
一般的に、屋根の上側（即ち、棟に近い側）に降り積もった雪が屋根の下側（即ち、軒に近い側）に向かって崩れ落ちると、その崩れ落ちる雪と共に、屋根の下側に降り積もった雪も屋根の下に落ちることになる。
【００２９】
このため、第二考案における融雪部は、屋根の垂木に沿って、屋根の棟から多くとも半分までの範囲を覆うように設けられていても良い（請求項１１）。
このような融雪装置によれば、屋根に降り積もった雪を効率的に屋根から除去できる。
【００３０】
また、屋根材がトタンである場合、第二考案における融雪部は、屋根材を少なくとも１つの面とした多面体に形成しても良い（請求項１２）。
この場合、屋根材を有効活用して、融雪部を設けることができる。
【００３１】
なお、建築物の中には、トタン屋根の上にトタンを屋根材とした二重屋根を有した建築物も存在する。
このような建築物に設置する第二考案の融雪装置においては、屋根材としての二つのトタンの間に形成された空間が内部空間となるように、融雪部を形成しても良い（請求項１３）。
【００３２】
つまり、このような融雪装置であれば、トタンを屋根材とした二重屋根においては屋根材の間に形成される空間を有効に利用することができる。
なお、本考案（ここでは、第一考案と第二考案との両方）における熱源は、建築物内に設置される暖房機器であっても良い（請求項１４）。
【００３３】
このような融雪装置であれば、暖房機器によって温められた気体を高温気体とすることで、建築物内を暖房すると共に、雪を溶かすことができる。
【図面の簡単な説明】
【００３４】
【図１】本考案が適用された融雪装置であって、第一実施形態における融雪装置の概略構成を示す図である。
【図２】第一実施形態における融雪装置の挿通孔の穿設位置を示す図である。
【図３】第一実施形態の融雪装置における流動管の変形例を示す図である。
【図４】第一実施形態の融雪装置における流動管の変形例を示す図である。
【図５】第一実施形態の融雪装置における流動管の変形例を示す図である。
【図６】吐出口延伸部の先端部分を構成する部材を示す図である。
【図７】第一実施形態の流動管の配置位置に関する変形例を示す図である。
【図８】第一実施形態の流動管の配置位置に関する変形例を示す図である。
【図９】第一実施形態における融雪装置の挿通孔の穿設位置に関する変形例を示す図である。
【図１０】第二実施形態の融雪装置を、融雪部周辺を中心に示した図である。
【図１１】第二実施形態の融雪装置における融雪部の構成を示した図である。
【図１２】第二実施形態の融雪部の変形例を示す図である。
【図１３】二重屋根用融雪装置を、融雪部周辺を中心に示した図である。
【図１４】二重屋根用融雪装置における融雪部の構成を示した図である。
【図１５】従来除雪装置の概略構成を示す説明図である。
【考案を実施するための形態】
【００３５】
以下に本考案の実施形態を図面と共に説明する。
［第一実施形態］
図１は、本考案が適用された融雪装置であって、第一実施形態における融雪装置の概略構造を示す説明図である。
【００３６】
本実施形態の融雪装置２０は、屋根材６と野地板８との間に空間が形成される屋根４を有した建築物２、即ち、一般的な家屋に設置される装置であり、屋根４に降り積もった雪を除去する装置である。
【００３７】
なお、本実施形態では、融雪装置２０が設置される建築物２の屋根材６として、瓦を想定する。すなわち、瓦は、当該屋根４に設けられた桟木１０に、瓦の裏面に形成された突起を引っ掛けた上で、締結要素（例えば、ネジや釘など、図示せず）を用いて桟木１０（即ち、屋根４）に設置（固定）される。
〈融雪装置全体の構成〉
融雪装置２０は、気体の温度を上昇させる熱源２１と、熱源２１にて温度が上昇した気体（以下、高温気体と称す）Ａｈの流路を形成する流動管３０と、流動管３０に接続され、高温気体Ａｈが流入することで屋根４に降り積もった雪を溶かして除去する融雪部５０とを備えている。
【００３８】
このうち、熱源２１は、建築物２内（即ち、屋内）に設置された暖房機器、例えば、石油ストーブなどである。本実施形態においては、流動管３０も、建築物２内に設置されている。
〈流動管の構成〉
次に、流動管３０は、全体として管状に形成された部材であり、高温気体Ａｈを取り込む開口（以下、取込口とする）３８が一端に形成され、当該流動管３０の取込口３８とは反対側の端部に高温気体Ａｈを吐出する開口（以下、吐出口とする）４０が形成されている。
【００３９】
ただし、流動管３０は、１つの取込口３８に対して複数の吐出口４０が形成されるように、当該流動管３０の取込口３８から吐出口４０に向けて少なくとも１つの分岐部３６を有した枝分かれした形状に形成されている。具体的に、本実施形態における流動管３０は、建築物２の床面の近傍から当該建築物２の棟の近傍に向けて延伸する主管３２と、当該棟の近傍にて主管３２から分岐し、棟から軒に向けて野地板８と平行となるように配設される複数の副管３４とを有している。
【００４０】
したがって、流動管３０の分岐部３６には、主管３２から副管３４へと分岐する第一分岐部３６Ａと、副管３４から吐出口４０の各々が形成された端部へと分岐する第二分岐部３６Ｂとが含まれる。
【００４１】
なお、流動管３０は、フレキシブルチューブなどによって形成しても良いし、塩化ビニルなどの硬質の管材を繋ぎ合わせることで形成しても良い。また、流動管３０には、高温気体Ａｈを送出する送風機４４が接続されている。
【００４２】
そして、流動管３０の各吐出口４０が形成された端部の各々は、屋根材６と野地板８との間の空間５２に吐出口４０が位置するように、野地板８に穿設された挿通孔１２それぞれに挿通されている。
【００４３】
具体的には、挿通孔１２は、例えば、図２に示すように、屋根４の上下方向に沿って２列設けられている。挿通孔１２の各々は、流動管３０よりも径が大きな円形の孔であり、屋根４に設けられた複数の桟木１０のうち、隣接する二つの桟木１０それぞれの間に設けられている。なお、本実施形態において、副管３４は、それぞれ、挿通孔１２が設けられた列に沿うよう屋根４の上下方向に、野地板８の下面に配設されている。
【００４４】
さらに、流動管３０が挿通された各挿通孔１２には、防水処理が施されている。本実施形態における防水処理とは、具体的には、シリコン樹脂やウレタン樹脂などの樹脂材料を用いてパテ埋めすることである。
【００４５】
本実施形態における融雪部５０とは、屋根材６と野地板８との間の空間５２であり、流動管３０の吐出口４０から吐出された高温気体Ａｈが、該空間５２を流動する。
［第一実施形態の効果］
以上説明したように、本実施形態の融雪装置２０では、熱源２１にて温められた気体、即ち、高温気体Ａｈが流動管３０を流動し、吐出口４０の各々から屋根材６と野地板８との間の空間５２に吐出される。この高温気体Ａｈによって、屋根材６の温度が上昇し、屋根４に降り積もった雪が溶かされる。
【００４６】
換言すれば、融雪装置２０によれば、屋根４に降り積もった雪を溶かすことで、当該雪を取り除くことができ、しかも、屋根４に降り積もった雪が湿雪であっても、確実に除去することができる。
【００４７】
特に、本実施形態の融雪装置２０では、流動管３０において高温気体Ａｈを吐出する吐出口４０が、屋根４の上下方向に沿って２列設けられていると共に、挿通孔１２の各々が、屋根４に設けられた複数の桟木１０のうち、隣接する二つの桟木１０それぞれの間に設けられている。
【００４８】
よって、融雪装置２０によれば、屋根４における１つの部分ではなく、屋根４におけるより多くの部分に対して、高温気体Ａｈを吐出することができる。この結果、屋根４に降り積もった雪を、効率良く融雪することができる。
【００４９】
さらに、本実施形態の融雪装置２０は、野地板８に穿設された挿通孔１２に、吐出口４０が形成された流動管３０の端部を挿通することで、建築物２に設置可能となる。換言すれば、建築中の建築物に限らず、建築済みの建築物であっても、容易に融雪装置２０を設置することができる。
【００５０】
しかも、本実施形態では、融雪装置２０を建築物２に設置する際には、吐出口４０が形成された流動管３０の端部を挿通した挿通孔１２に対して防水処理を施しているため、建築物２の内部に水が入り込むことを防止できる。
【００５１】
そして、本実施形態では、その防水処理として、樹脂材料によるパテ埋めを実施するため、当該防水処理を簡易に実施することができる。
ところで、従来除雪装置１５０のように、装置を構成する部材を屋根の上面に常時設置すると、建築物２の外観の美しさを損なう、即ち、見栄えが悪いという問題が生じる。
【００５２】
これに対し、本実施液体の融雪装置２０であれば、当該融雪装置２０を構成する部材が屋根４の上面に設けられることが無いため、建築物２の見栄えの良さを維持できる。
［第一実施形態の変形例］
以上、本考案の第一実施形態について説明したが、本考案は上記第一実施形態に限定されるものではなく、本考案の要旨を逸脱しない範囲において、様々な態様にて実施することが可能である。
【００５３】
例えば、流動管３０の配設状態は、図１に示すものに限るものではなく、流動管３０の配設状態は、熱源２１にて生成された高温気体Ａｈを、屋根材６と野地板８との間の空間５２へと流動させることが可能であれば、どのような状態でも良い。
【００５４】
ここで、図３〜５は、第一実施形態における流動管３０の変形例を示す図であり、流動管３０は、具体的には、図３〜図５に示すように構成または配設されていても良い。
すなわち、流動管３０は、図３に示すように、建築物２の床面の近傍から当該建築物２の棟Ｒｒの近傍に向けて延伸する主管６２と、主管６２から野地板８に向けて分岐した第一副管６３及び第二副管６４と、棟Ｒｒから軒Ｒｅに向けて野地板８と平行となるように配設されると共に、第一副管６３及び第二副管６４に接続される第三副管６５とを有していても良い。この図３に示す第三副管６５には、吐出口４０の各々が形成された流動管３０の端部へと分岐する吐出口分岐部３７が形成されている。
【００５５】
また、図４は、図３に示す流動管３０とは異なる流動管３０の変形例を示す図である。
図４に示す流動管３０は、主管６２と、第一副管６３と、野地板８と平行となるように配設されると共に、主管６２及び第一副管６３に接続される第三副管６５とを有している。
【００５６】
つまり、図４に示す流動管３０は、図３に示す流動管３０から、第二副管６４が省略され、第三副管６５が主管６２と第一副管６３とに接続されている。ただし、図４に示す第三副管６５には、吐出口４０の各々が形成された流動管３０の端部へと分岐する吐出口分岐部３７が形成されている。
【００５７】
なお、流動管３０の主管６２には、図４に示すように、高温気体Ａｈの流量を調整する流量調整機構６８が設けられていても良い。
さらに、図５は、図３に示す流動管３０及び図４に示す流動管３０とは異なる流動管３０の変形例を示す図である。
【００５８】
この図５に示す流動管３０は、建築物２の床面の近傍から当該建築物２の棟Ｒｒの近傍に向けて延伸する主管６２と、主管６２から野地板８に向けて分岐した第一副管６３及び第二副管６４とを有している。
【００５９】
この図５に示す流動管３０において、第一副管６３は、主管６２から野地板８に向けて延伸する第一延伸部７１と、屋根４の軒Ｒｅと平行となるように、第一延伸部７１に直交して接続された第二延伸部７２とを有している。また、図５に示す流動管３０において、第二副管６４は、主管６２から野地板８に向けて延伸する第三延伸部７３と、野地板８と平行となるように、第三延伸部７３に直交して接続された第四延伸部７４とを有している。
【００６０】
ただし、図５に示す第二延伸部７２及び第四延伸部７４には、吐出口４０の各々が形成された端部（以下、吐出口延伸部と称す）７５へと分岐する吐出口分岐部３７が形成されている。なお、図５において、実線で示した円に囲まれた部分は、第二延伸部７２及びその第二延伸部７２から突出した吐出口延伸部７５を拡大した拡大図である。つまり、図５に示す流動管３０においては、吐出口４０が屋根４の上下方向に沿って一直線上に配置されるように吐出口延伸部７５が配設されている。
【００６１】
ここで、図６は、吐出口延伸部７５の先端部分（即ち、吐出口延伸部７５において、吐出口４０に近い部位）を構成する部材を示す図である。
この図６に示すように、吐出口延伸部７５の先端部分を構成する部材は、吐出口延伸部７５において、吐出口分岐部３７から吐出口４０に掛けて屈曲する部位を有した管状に形成されたものである。その屈曲する部位における屈曲の角度（以下、屈曲角と称す）αは、例えば、各吐出口４０から吐出される高温気体Ａｈの流量が一定となるように、吐出口延伸部７５の各々に対して、吐出口４０が設けられる屋根４の位置に応じて規定されれば良い。
【００６２】
ところで、上記第一実施形態における融雪装置２０では、建築物２の内部（即ち、屋内）に、少なくとも、熱源２１と流動管３０とが配置されていたが、熱源２１と流動管３０との配置位置は、これに限るものではない。例えば、図７に示すように、融雪装置２０において、少なくとも、流動管３０を構成する主管３２が、建築物２の外部、即ち、建築物２の壁Ｗａよりも屋外側に設けられていても良い。
【００６３】
ただし、流動管３０を構成する主管３２が建築物２の外部に配置されている場合、その主管３２に接続される流量調整機構６８は、建築物２の壁Ｗａよりも内側、即ち、屋内に配置しても良いし（図７参照）、図８に示すように、建築物２の壁Ｗａよりも外側、即ち、屋外に配置しても良い。また、送風機４４も、建築物２の壁Ｗａよりも内側、即ち、屋内に配置しても良いし（図７参照）、図８に示すように、建築物２の壁Ｗａよりも外側、即ち、屋外に配置しても良い。
【００６４】
なお、融雪装置２０では、図７や図８に示すように、取込口３８から取り込んだ高温気体Ａｈを建築物２内（即ち、屋内）に排出する開口である噴出口７８が、流動管３０に設けられていても良い。
【００６５】
ところで、上記第一実施形態では、挿通孔１２、ひいては、吐出口４０は、屋根４の上下方向に沿って２列設けられていたが、挿通孔１２を設ける列数は、これに限るものではなく、例えば、図９に示すように、挿通孔１２を、屋根４の上下方向に沿って２列よりも多い列分設けても良い。この場合であっても、各挿通孔１２は、屋根４に設けられた複数の桟木１０のうち、隣接する二つの桟木１０それぞれの間に設けられていることが好ましい。
【００６６】
さらに、挿通孔１２を２列よりも多い数の列分設ける場合、図９に示すように、流動管３０の副管３４それぞれを桟木１０と平行に配設した上で、各挿通孔１２は、流動管３０の副管３４における上流側から下流側に沿って、順次設けても良い。
［第二実施形態］
次に、本考案の第二実施形態について説明する。
【００６７】
本実施形態における融雪装置は、第一実施形態の融雪装置２０とは、融雪部の構成が異なる。このため、本実施形態では、第一実施形態の融雪装置２０と同様の構成には、同一の符号を付して説明を省略し、第一実施形態の融雪装置２０とは異なる、融雪部を中心に説明する。
【００６８】
ここで、図１０は、第二実施形態の融雪装置を、融雪部周辺を中心に示した図である。
なお、本実施形態では、融雪装置２０が設置される建築物２の屋根材６として、トタン板を想定する。このトタン板は、当該屋根４に設けられた野地板８に、締結要素（例えば、ネジや釘など、図示せず）などを用いて固定されている。
〈融雪部の構成〉
本実施形態の融雪部８０は、流動管３０の取込口３８が設けられた端とは反対側の端（即ち、吐出口４０が設けられた端）に接続され、高温気体Ａｈが流動する内部空間を有する。本実施形態においては、１台の融雪装置２０に対して複数の融雪部８０が備えられている。
【００６９】
ここで、図１１は、融雪部８０の構成を示した概略図である。
この融雪部８０は、底面８１と、底面８１から立ち上げられた壁面８２，８３，８４，８５とを備え、一面が開放された筐体状に形成されている。この融雪部８０は、屋根４に設けられた垂木１４に沿って、開放された一面を野地板８の下面にて覆うように固定される。つまり、融雪部８０は、野地板８を上面とすることで、内部空間を有した多面体（本実施形態では、６面体）に形成される。
【００７０】
この融雪部８０を固定する方法は、例えば、ネジや釘などの締結要素を用いて固定する方法などが考えられるが、融雪部８０を野地板８に固定可能であれば、どのような方法でも良い。
【００７１】
また、融雪部８０の底面８１には、流動管３０の吐出口４０が接続される１つの挿通孔１２が設けられている。これにより、流動管３０を流動する高温気体Ａｈが、底面８１と壁面８２，８３，８４，８５と野地板８とに囲まれた融雪部８０の内部空間に流入する。
【００７２】
なお、本実施形態においては、野地板８に少なくとも１つの孔８７が穿設されている。よって、融雪部８０の内部空間に流入した高温気体Ａｈは、この孔８７を通り屋外へと排出される。
【００７３】
つまり、本実施形態の融雪装置２０では、屋根４の下面に、融雪部８０が固定されている。
［第二実施形態の効果］
以上説明したように、本実施形態の融雪装置２０であれば、熱源２１にて温められた高温気体Ａｈが屋根４に接して流動する。この高温気体Ａｈによって、屋根の温度が上昇し、雪を溶かすことができる。
【００７４】
したがって、本実施形態の融雪装置２０であっても、屋根４に降り積もった雪を、より確実に除去することができる。
特に、本実施形態の融雪装置２０では、融雪部８０を構成する１つの面として、屋根材６を用いている。すなわち、本実施形態の融雪装置２０によれば、屋根材を有効活用して、融雪部８０を設けることができる。
［第二実施形態の変形例］
以上、本考案の第二実施形態について説明したが、本考案は上記第二実施形態に限定されるものではなく、本考案の要旨を逸脱しない範囲において、様々な態様にて実施することが可能である。
【００７５】
例えば、上記第二実施形態の融雪装置２０では、融雪部８０を屋根４の下面に固定していたが、融雪部８０を固定する部位は、これに限るものではなく、屋根４の外面であっても良い。この場合、融雪部８０は、屋根４の外面を覆うように固定されていることが望ましい。なお、屋根４の外面とは、屋根４において、建築物２の外部（即ち、屋外）と接する面である。
【００７６】
このように、屋根４の外面を覆うように融雪部８０を固定する場合、その融雪部８０は、図１２に示すように、屋根４の垂木に沿って、屋根４の棟Ｒｒから多くとも半分までの範囲を覆うように設けられていることが好ましい。
【００７７】
このように融雪部８０を設ければ、屋根４の上側（即ち、棟Ｒｒに近い側）に降り積もった雪が溶けて、屋根４の下側（即ち、軒Ｒｅに近い側）に向かって崩れ落ちると、その崩れ落ちる雪と共に、屋根４の下側に降り積もった雪も屋根４の下に落ちることになる。よって、屋根４に降り積もった雪を効率的に屋根４から除去できる。
【００７８】
次に、融雪装置２０を設置する建築物２の屋根４として、トタン屋根の上にトタンを屋根材６とした二重屋根を有した建築物２を想定する。
ここで、図１３は、二重屋根を有した建築物２に設置する融雪装置２０（以下、二重屋根用融雪装置と称す）を、融雪部周辺を中心に示した図である。
【００７９】
この図１３に示すように、二重屋根用融雪装置の融雪部９０は、建築物２の屋内に近い側に位置する屋根材６Ａを底面とし、建築物２の屋外に近い側に位置する屋根材６Ｂを上面とし、内部空間を有した多面体（本実施形態では、６面体）に形成されている。
【００８０】
ここで、図１４は、融雪部９０の具体的構成を示す図である。
融雪部９０は、図１４に示すように、厚みを有した部材であって、屋根材６Ａの表面に固定される複数の角材９５を備えると共に、底面（即ち、屋根材６Ａ）から立ち上げられた壁面８２，８３，８４，８５を備える。つまり、融雪部９０の内部空間は、屋根材６Ａと屋根材６Ｂと壁面８２，８３，８４，８５とに囲まれた空間であって、角材９５によって確保される。
【００８１】
このような二重屋根用融雪装置を設置する建築物２の野地板８には、流動管３０の吐出口４０が接続される１つの挿通孔１２が穿設されており、当該建築物２の屋根材６Ａには、少なくとも１つの孔９７が穿設されている。よって、吐出口４０から吐出された高温気体Ａｈは、野地板８と屋根材６Ａとの間の空間に流入した後、これら孔９７を通り、融雪部９０の内部空間に流入する。
【００８２】
このような二重屋根用融雪装置であれば、二重屋根を有した建築物２に設置することができ、屋根材６Ｂに降り積もった雪を確実に除去できる。特に、このような二重屋根用融雪装置であれば、２つの屋根材６Ａ，６Ｂの間に形成される空間を有効に利用することができる。
【００８３】
さらに、トタン屋根を有した建築物２を二重屋根の建築物２へと改装する際に、二重屋根用融雪装置を設置すれば、当該二重屋根用融雪装置を容易に設置することが可能となる。この場合、角材９５は、屋根材６Ｂを保持するための部材を兼ねても良い。
【符号の説明】
【００８４】
２…建築物  ４…屋根  ６，６Ａ，６Ｂ…屋根材  ８…野地板  １０…桟木  １２…挿通孔  １４…垂木  ２０…融雪装置  ２１…熱源  ３０…流動管  ３２…主管  ３４…副管  ３６…分岐部  ３６Ａ…第一分岐部  ３６Ｂ…第二分岐部  ３７…吐出口分岐部  ３８…取込口  ４０…吐出口  ４４…送風機  ５０，８０，９０…融雪部  ５２…空間  ６２…主管  ６３…第一副管  ６４…第二副管  ６５…第三副管  ６８…流量調整機構  ７１…第一延伸部  ７２…第二延伸部  ７３…第三延伸部  ７４…第四延伸部  ７５…吐出口延伸部  ７８…噴出口  ８１…底面  ８２，８３，８４，８５…壁面  ８７，９７…孔  ９５…角材  Ａｈ…高温気体  Ｒｅ…軒  Ｒｒ…棟  Ｗａ…壁
【図１】
0003169803.tif 000003
【図２】
0003169803.tif 000004
【図３】
0003169803.tif 000005
【図４】
0003169803.tif 000006
【図５】
0003169803.tif 000007
【図６】
0003169803.tif 000008
【図７】
0003169803.tif 000009
【図８】
0003169803.tif 000010
【図１０】
0003169803.tif 000011
【図１１】
0003169803.tif 000012
【図１２】
0003169803.tif 000013
【図１３】
0003169803.tif 000014
【図１４】
0003169803.tif 000015
【図１５】
0003169803.tif 000016
【図９】
0003169803.tif 000017
【手続補正書】
【提出日】平成23年6月20日(2011.6.20)
【手続補正１】
【補正対象書類名】実用新案登録請求の範囲
【補正対象項目名】全文
【補正方法】変更
【補正の内容】
【実用新案登録請求の範囲】
【請求項１】
屋根材と野地板との間に空間が形成される屋根を有した建築物に設置される融雪装置であって、
気体の温度を上昇させる熱源と、
全体として管状に形成された流動管であって、前記熱源によって温度が上昇した気体である高温気体が、一端に設けられた開口である取込口から取り込まれて流動する流路を形成する流動管と
を備え、
前記流動管は、
前記流動管の取込口とは反対側の端部に設けられた開口である吐出口が、前記屋根材と前記野地板との間の空間に前記高温気体を吐出するように設けられていることを特徴とする融雪装置。
【請求項２】
前記流動管は、
１つの取込口に対し、複数の吐出口が形成されるように枝分かれした形状に形成されていることを特徴とする請求項１に記載の融雪装置。
【請求項３】
前記吐出口は、
前記野地板に穿設された挿通孔それぞれに前記流動管の端部が挿通されることで、前記屋根材と前記野地板との間の空間に前記高温気体を吐出することを特徴とする請求項１または請求項２に記載の融雪装置。
【請求項４】
前記挿通孔には、
防水処理が施されていることを特徴とする請求項３に記載の融雪装置。
【請求項５】
前記防水処理は、
樹脂材料によるパテ埋めであることを特徴とする請求項４に記載の融雪装置。
【請求項６】
前記屋根材は、瓦であり、
前記屋根には、複数の桟木が設けられており、
前記挿通孔は、それぞれ
隣接する二つの桟木の間に設けられていることを特徴とする請求項３〜５のいずれか一項に記載の融雪装置。
【請求項７】
前記流動管には、
気体を送出する送風機が設けられていることを特徴とする請求項１〜請求項６のいずれか一項に記載の融雪装置。
【請求項８】
屋根を有した建築物に設置される融雪装置であって、
気体の温度を上昇させる熱源と、
全体として管状に形成された流動管であって、前記熱源によって温度が上昇した気体である高温気体が、一端に設けられた開口である取込口から取り込まれて流動する流路を形成する流動管と、
前記流動管の取込口が設けられた端とは反対側の端に接続され、前記屋根に接して前記高温気体が流動する内部空間を有する融雪部と
を備えることを特徴とする融雪装置。
【請求項９】
前記融雪部は、
前記屋根の下面に固定されていることを特徴とする請求項８に記載の融雪装置。
【請求項１０】
前記融雪部は、
前記屋根の外面の少なくとも一部分を覆うように設けられていることを特徴とする請求項８に記載の融雪装置。
【請求項１１】
前記融雪部は、
前記屋根の垂木に沿って、前記屋根の棟から多くとも半分までの範囲を覆うように設けられていることを特徴とする請求項８〜請求項１０のいずれか一項に記載の融雪装置。
【請求項１２】
前記屋根は、トタンを屋根材とした屋根であり、
前記融雪部は、
前記屋根材を少なくとも１つの面とした多面体に形成されていることを特徴とする請求項８〜請求項１１のいずれか一項に記載の融雪装置。
【請求項１３】
前記屋根は、トタン屋根の上にトタンを屋根材とした二重屋根であり、
前記融雪部は、
前記屋根材としての二つのトタンの間に形成された空間が、前記内部空間となるように形成されていることを特徴とする請求項８に記載の融雪装置。
【請求項１４】
前記熱源は、
前記建築物内に設置される暖房機器であることを特徴とする請求項１〜請求項１３のいずれか一項に記載の融雪装置。
【手続補正２】
【補正対象書類名】明細書
【補正対象項目名】００３０
【補正方法】変更
【補正の内容】
【００３０】
また、屋根を構成する屋根材がトタンである場合、第二考案における融雪部は、屋根材を少なくとも１つの面とした多面体に形成しても良い（請求項１２）。
この場合、屋根材を有効活用して、融雪部を設けることができる。